(57)【要約】【課題】無線回路を接続する外部機器が異なっても外部インターフェイス回路及び、信号処理回路を外部機器に対応させることによって、同一高周波回路で、接続する外部機器に対応した無線回路を構成することを実現することを目的とする。【解決手段】アンテナ１１と高周波回路１２との間にコネクタ１９、２０を設けることで、無線回路を設置する環境に対して、最適な電波放射特性を実現するアンテナに取り替えることができ、かつ高周波回路１２と信号処理回路１３間、及び信号処理回路１３と外部インターフェイス回路４間にそれぞれ接続用コネクタ１７、１８、１５、１６を取付けることで、無線回路をいろいろな外部機器を接続する場合にも、おのおのの外部機器に対応する信号処理回路回路及び、外部インターフェイス回路に取り替えることが可能である。【選択図】図５
2005236842.tif 000002
【特許請求の範囲】
【請求項１】
信号処理回路と高周波回路が形成されたプリント基板Ａと、及び外部インターフェイス回路が形成されたプリント回路基板Ｂと、前記高周波回路に接続されたアンテナとを備え、前記プリント回路基板Ｂの外部インターフェイス回路と前記プリント回路基板Ｂの信号処理回路とがコネクタを介して接続されたこと特徴とする無線回路。
【請求項２】
高周波回路が形成されたプリント基板Ｃと、信号処理回路と外部インターフェイス回路が形成されたプリント回路基板Ｄと、高周波回路に配線パターンを通して接続されたアンテナと、高周波回路をシールドするシールドケースを備え、前記プリント回路基板Ｄの信号処理回路と前記プリント回路基板Ｃの高周波回路がコネクタを介して接続されたことを特徴とする無線回路。
【請求項３】
信号処理回路と高周波回路の配線パターン及び外部インターフェイス回路が形成されたプリント回路基板と、高周波回路に接続されたアンテナと、高周波回路をシールドするシールドケースを備え、前記アンテナと前記高周波回路はコネクタを介して接続されたことを特徴とする無線回路。
【請求項４】
信号処理回路が形成されたプリント基板Ｅと、高周波回路が形成されたプリント基板Ｆと、外部インターフェイス回路が形成されたプリント回路基板Ｇと、前記高周波回路にコネクタを介して接続されたアンテナと、高周波回路をシールドするシールドケースを備え、前記プリント基板Ｆの高周波回路と前記プリント基板Ｅの信号処理回路、及び前記プリント回路基板Ｇの外部インターフェイス回路と前記プリント基板Ｅの信号処理回路とがそれぞれコネクタを介して接続されたことを特徴とする無線回路。
【発明の詳細な説明】
【技術分野】
【０００１】
本発明は設備機器の遠隔制御に使用する無線機の無線回路に関するものである。
【背景技術】
【０００２】
従来の無線回路は１つの回路基板上に信号処理回路と信号処理部が一体の構成されている（例えば、特許文献１参照）。
【０００３】
図６は、従来の無線回路の実装構造を示すもので、５１はアンテナ、５２はプリント回路基板、５３は高周波回路、５４は信号処理回路、５５は外部インターフェイス回路である。ここで、アンテナ５１、信号処理回路５４、外部インターフェイス回路５５を同一基板上に形成し、ある特定の外部接続機器（図示せず）に対応する回路と接続するように構成されていた。
【特許文献１】特開２００３−３２１３８号公報（図２）
【発明の開示】
【発明が解決しようとする課題】
【０００４】
しかしながら、前記従来の構成では、無線回路を接続する外部接続機器に対してそれぞれ異なる外部インターフェイス回路と、信号処理回路とを持つ無線回路を作成する必要があり、また、統一規格の機器であれば、ひとつの外部インターフェイス回路、信号処理部で対応できるが、異なる規格の機器に無線回路を接続する場合は、それら規格に対応する無線回路を開発しなければならないといういう課題があった。
【０００５】
また、無線回路に接続するアンテナは１種類多くても２種類であり、外部環境に対して、最適なアンテナが設置されていないという課題があった。
【０００６】
本発明は上記課題を解決するもので、無線回路を接続する外部機器が異なっても外部インターフェイス回路及び、信号処理回路を外部機器に対応させることによって、同一高周波回路で、接続する外部機器に対応した無線回路を構成することを実現することを目的とする。
【課題を解決するための手段】
【０００７】
本発明は、前記課題を解決するために、外部インターフェイス回路、信号処理回路、高周波回路等をそれぞれコネクタを介して接続するようにしたもので外部接続機器及び用途に応じて最適な組み合わせを行うようすることを可能としたものである。
【発明の効果】
【０００８】
本発明の無線回路は、外部接続機器を変更したとしても、コネクタが接続されている信号処理回路及び外部インターフェイス回路を、変更した外部機器に対応した回路に個別に取り替えることで、高周波回路を共通にして対応することができ、かつ、無線回路が設置される環境に対し、接続することが出来るアンテナの中で最適な電波放射特性を有するアンテナを取り替えることも可能になる。
【発明を実施するための最良の形態】
【０００９】
第１の発明は、信号処理回路と高周波回路が形成されたプリント基板Ａと、及び外部インターフェイス回路が形成されたプリント回路基板Ｂと、前記高周波回路に接続されたアンテナとを備え、前記プリント回路基板Ｂの外部インターフェイス回路と前記プリント回路基板Ｂの信号処理回路とがコネクタを介して接続されたこと特徴とするもので、、前記外部インターフェイス回路を外部接続機器により取り替えることが可能であるもので、外部インターフェイス回路を外部接続機器により取り替えることができる。
【００１０】
第２の発明は、高周波回路が形成されたプリント基板Ｃと、信号処理回路と外部インターフェイス回路が形成されたプリント回路基板Ｄと、高周波回路に配線パターンを通して接続されたアンテナと、高周波回路をシールドするシールドケースを備え、前記プリント回路基板Ｄの信号処理回路と前記プリント回路基板Ｃの高周波回路がコネクタを介して接続されたことを特徴とするもので、外部インターフェイス回路と信号処理回路とが一体構成となっている基板を外部接続機器により取り替えることができる。
【００１１】
第３の発明は、信号処理回路と高周波回路の配線パターン及び外部インターフェイス回路が形成されたプリント回路基板と、高周波回路に接続されたアンテナと、高周波回路をシールドするシールドケースを備え、前記アンテナと前記高周波回路はコネクタを介して接続されたことを特徴とするもので、前記アンテナを無線回路を設置する環境に対して電波放射が最も良くなるように取り替えることがことが可能であるもので、アンテナを無線回路を設置する環境に対して電波放射が最も良くなるように取り替えることがことができる。
【００１２】
第４の発明は、信号処理回路が形成されたプリント基板Ｅと、高周波回路が形成されたプリント基板Ｆと、外部インターフェイス回路が形成されたプリント回路基板Ｇと、前記高周波回路にコネクタを介して接続されたアンテナと、高周波回路をシールドするシールドケースを備え、前記プリント基板Ｆの高周波回路と前記プリント基板Ｅの信号処理回路、及び前記プリント回路基板Ｇの外部インターフェイス回路と前記プリント基板Ｅの信号処理回路とがそれぞれコネクタを介して接続されたことを特徴とするもので、前記アンテナを、無線回路を設置する環境に対して取り替えることがことができ、かつ無線回路を接続する外部機器に対し、前記外部インターフェイス回路、及び前記信号処理部をそれぞれ取り替えることが可能であるもので、アンテナを無線回路を設置する環境に対して取り替えることがことができ、かつ無線回路を接続する外部機器に対し、外部インターフェイス回路、及び信号処理部をそれぞれ取り替えることができる。
【００１３】
以下、本発明の実施の形態について、図面を参照しながら説明する。なお、この実施の形態によって本発明が限定されるものではない。
【００１４】
（実施の形態１）
以下本発明の実施の形態１について説明する。図１は家庭内電気機器ネットワークシステムのシステム構成図である。図１を使用して家庭内電気機器ネットワークシステムについての概要を説明を行い、その後、家庭内電気機器ネットワーク制御情報端末機器の説明を行う。
【００１５】
図１において１は家庭内電気機器ネットワーク制御情報端末機器子機、２は家庭内電気機器ネットワーク制御情報端末機器親機、３はエアコン、４は冷蔵庫、５は電子レンジ、６は電力メータ、７はガスメータ、８は水道メータ、９はテレビ、１０はビデオデッキ、１１は家屋である。次に動作を説明すると、操作者は固定されていない家庭内電気機器ネットワーク制御情報端末機器子機１あるいは、家屋内で固定されている家庭内電気機器ネットワーク制御情報端末機器親機２を用い、エアコン３のオンオフ等の制御、冷蔵庫４の中身の検索、電子レンジ５の制御、テレビ９のオンオフ等の制御、ビデオデッキ１０のオンオフ、録画等の制御を行う。また、電力メータ６、ガスメータ７、水道メータ８の検針値および各種情報は、家庭内電気機器ネットワーク制御情報端末機器子機１、および家庭内電気機器ネットワーク制御情報端末機器親機２に蓄積される、また、緊急信号等は家庭内電気機器ネットワーク制御情報端末機器子機１、および家庭内電気機器ネットワーク制御情報端末機器親機２に伝送され、これらの機器を通して、外部ネットワークを通じて、電力会社、ガス会社、水道局等に伝送される。なお家庭内電気機器ネットワーク制御情報端末機器子機１、および家庭内電気機器ネットワーク制御情報端末機器親機２は、４２９ＭＨｚ帯の特定小電力無線テレメータ・テレコントロール用の周波数帯を使用している。
【００１６】
次に前記無線システムに使用される無線アダプタにおける実装基板を説明する。
【００１７】
図２において１１はアンテナの放射素子、１２は無線回路基板の高周波回路、１３は無線回路基板の信号処理回路、１４は無線回路基板の外部インターフェイス回路、１５は無線回路基板の信号処理回路の外部インターフェイス回路接続用コネクタ、１６は外部インターフェイス回路の信号処理回路接続用コネクタ、２１ａは高周波回路１２と信号処理回路１３が形成されたプリント回路基板Ａ、２１ｂはインターフェイス回路が形成されたプリント回路基板Ｂである。
【００１８】
このような構成によれば、無線回路に接続する外部接続機器を変更したとしても、コネクタが接続されている外部インターフェイス回路を、変更した外部機器に対応した回路に取り替えることで、無線回路の外部インターフェイス回路以外の部分を共通にして、対応することができる。
【００１９】
なお、本実施の形態は設備機器等の無線システムに使用される無線機を使用して説明したが、ガスメータの無線自動検針システムの無線アダプタでも良い。
【００２０】
また、本実施の形態の構成は以下のどの実施の形態においても適用できると共に同様の効果がある。
【００２１】
（実施の形態２）
図３は本発明の実施の形態２おける構成図である。
【００２２】
図３において前記実施の形態と同一の構成要素については同一番号を付しているので説明は省略する。図３において、２１ｄは、高周波回路１２が形成されたプリント回路基板Ｄ、２１ｅは、信号処理回路１３が形成されたプリント回路基板Ｄ、高周波回路１７は高周波回路の信号処理回路接続用コネクタ、１８は信号処理回路の高周波回路接続用コネクタである。
【００２３】
このような構成によれば無線回路に接続する外部接続機器を変更したとしても、コネクタが接続されている信号処理回路及び外部インターフェイス回路を、変更した外部機器に対応した回路に取り替えることで、無線回路の信号処理回路及び外部インターフェイス回路以外の部分を共通にして、対応することができる。
【００２４】
（実施の形態３）
図４は本発明の実施の形態３における構成図である。
【００２５】
図４において前記実施の形態と同一の構成要素については同一番号を付しているので説明は省略する。図４において、１９はアンテナの高周波回路接続用コネクタ、２０は高周波回路のアンテナ接続用コネクタである。
【００２６】
このような構成によれば無線回路が設置される環境に対し、接続することが出来るアンテナの中で最適な電波放射特性を有するアンテナを取り替えることで、無線回路の高周波回路、信号処理回路及び外部インターフェイス回路以外の部分を共通にして、対応することができる。
【００２７】
（実施の形態４）
図５は本発明の実施の形態３における構成図である。
【００２８】
図５において前記実施の形態と同一の構成要素については同一番号を付しているので説明は省略する。図５において、２１ｅは、信号処理回路が形成されたプリント回路基板Ｅ、２１ｆは高周波回路が形成されたプリント回路基板Ｆ、２１ｇはインターフェイス回路が形成されたプリント回路基板Ｇである。
【００２９】
このような構成によれば無線回路に接続する外部接続機器を変更したとしても、コネクタが接続されている信号処理回路及び外部インターフェイス回路を、変更した外部機器に対応した回路に個別に取り替えることで、高周波回路を共通にして対応することができ、かつ、無線回路が設置される環境に対し、接続することが出来るアンテナの中で最適な電波放射特性を有するアンテナを取り替えることもできる。
【産業上の利用可能性】
【００３０】
以上のように、本発明の無線回路は、外部接続機器を変更したとしても、コネクタが接続されている信号処理回路及び外部インターフェイス回路を、変更した外部機器に対応した回路に個別に取り替えることで、高周波回路を共通にして対応することが可能となるので、使用環境に応じて個別の対応が必要な無線機器の用途にも適用できる。
【図面の簡単な説明】
【００３１】
【図１】家庭内電気機器ネットワークシステムのシステム構成図
【図２】本発明の実施の形態１における無線回路の構成図
【図３】本発明の実施の形態２における無線回路の構成図
【図４】本発明の実施の形態３における無線回路の構成図
【図５】本発明の実施の形態４における無線回路の構成図
【図６】従来の無線機における無線回路の構成図
【符号の説明】
【００３２】
１１  アンテナ
１２  高周波回路
１３  信号処理回路
１４  外部インターフェイス回路
１５、１６、１７、１８、１９、２０  コネクタ
２１ａ  プリント回路基板Ａ
２１ｂ  プリント回路基板Ｂ
２１ｃ  プリント回路基板Ｃ
２１ｄ  プリント回路基板Ｄ
２１ｅ  プリント回路基板Ｅ
２１ｆ  プリント回路基板Ｆ
２１ｇ  プリント回路基板Ｇ
【図１】
2005236842.tif 000003
【図２】
2005236842.tif 000004
【図３】
2005236842.tif 000005
【図４】
2005236842.tif 000006
【図５】
2005236842.tif 000007
【図６】
2005236842.tif 000008